(57)【特許請求の範囲】
【請求項１】
被検眼の眼特性を検査する手持型眼科装置を載置するための手持型眼科装置載置台であって、
前記手持型眼科装置の検査精度を確認するために用いられる模型眼を収納するための模型眼収納部と、
前記手持型眼科装置を用いて前記模型眼を測定する場合に前記模型眼を設置する模型眼設置部と、を備え、
前記模型眼設置部は、前記模型眼収納部と空間的に併設または同一位置に配置されていることを特徴とする手持型眼科装置載置台。
【請求項２】
請求項１の手持型眼科装置載置台は、
前記手持型眼科装置を載置するための装置載置部をさらに備え、
前記模型眼設置部は、前記装置載置部に載置された前記手持型眼科装置と前記模型眼とが、予め設定された適正アライメント条件に位置されるように前記模型眼を設置するための構造を備えることを特徴とする手持型眼科装置載置台。
【発明の詳細な説明】
【技術分野】
【０００１】
本開示は、被検眼の眼特性を検査する手持型眼科装置を載置するための手持型眼科装置載置台に関する。
【背景技術】
【０００２】
従来において、被検眼の眼特性を検査（例えば、測定、撮影）するための手持型眼科装置が知られている（特許文献１参照）。このような装置は、載置台の上に置いて保管されることが多い。
【先行技術文献】
【特許文献】
【０００３】
【特許文献１】特開２０１２−１８３１２３
【発明の概要】
【発明が解決しようとする課題】
【０００４】
ところで、上記のような装置は、検査精度（例えば、測定精度、撮影精度、）の確認を行うため、被検眼を検査する前に模型眼を検査することが推奨されている。しかしながら、従来の装置においては、模型眼を用いた検査には、手間を要していた。
【０００５】
本開示は上記の問題点を鑑み、容易に測定精度の確認が行える手持型眼科装置載置台を提供することを技術課題とする。
【課題を解決するための手段】
【０００６】
上記課題を解決するために、本発明は以下のような構成を備えることを特徴とする。
【０００７】
被検眼の眼特性を検査する手持型眼科装置を載置するための手持型眼科装置載置台であって、前記手持型眼科装置の検査精度を確認するために用いられる模型眼を収納するための模型眼収納部と、前記手持型眼科装置を用いて前記模型眼を測定する場合に前記模型眼を設置する模型眼設置部と、を備え、前記模型眼設置部は、前記模型眼収納部と空間的に併設または同一位置に配置されていることを特徴とする。
【図面の簡単な説明】
【０００８】
【図１】本実施例の載置台において、手持型眼科装置を載置したときの斜視図である。
【図２】本実施例の載置台において、手持型眼科装置を載置していないときの斜視図である。
【図３】模型眼を説明するための図である。
【図４】本実施例の載置台の一部を省略した断面図である。
【図５】模型眼載置部について説明するための図である。
【図６】手持型眼科装置を説明するための図である。
【図７】本載置台の変容例を説明するための図である。
【発明を実施するための形態】
【０００９】
＜概要＞
以下、本開示に係る手持型眼科装置載置台の概要を図面に基づいて説明する。図１に示すように、手持型眼科装置載置台（以下、本載置台と省略する場合がある）１は、例えば、被検眼の眼特性を検査する手持型眼科装置１００を載置する。本載置台１は、図２に示すように、例えば、模型眼収納部２１と、模型眼設置部２２を主に備える。模型眼収納部２１は、例えば、手持型眼科装置１００の検査精度を確認するために用いられる模型眼９０を収納する。例えば、手持型眼科装置１００を用いて模型眼９０を測定する場合に模型眼９０を設置する。例えば、本載置台１の模型眼設置部２２は、模型眼収納部２１と空間的に併設される。模型眼設置部２２は、例えば、模型眼収納部２１を形成する内壁の一部に併設されてもよい。模型眼設置部２２は、模型眼収納部２１と全く同じ位置であってもよい（図７参照）。例えば、模型眼収納部は、模型眼設置部と兼用されてもよい。
【００１０】
なお、本載置台１は、さらに装置載置部１０を備えてもよい。装置載置部１０は、例えば、手持型眼科装置１００を載置する。この場合、例えば、模型眼設置部２２は、装置載置部１０に載置された手持型眼科装置１００と模型眼９０とが、予め設定された適正アライメント条件に位置されるように模型眼９０を設置するための構造（例えば、図７に示す構造２３など）を備えてもよい。
【００１１】
例えば、手持型眼科装置１００と模型眼９０とが、予め設定された適正作動距離に位置されるように模型眼９０が設置されてもよい。より好ましくは、例えば、手持型眼科装置１００と模型眼９０とが、３次元方向に関して適正なアライメント条件に位置されるように模型眼９０が設置可能である。
【００１２】
具体的構造は、例えば、模型眼９０を縦置き可能なスペースを有し、手持型眼科装置１００の検査窓１１１から、模型眼９０までの適正作動距離（例えば、４０ｍｍ）と、模型眼９０の長手方向の距離（例えば、３０ｍｍ）とを加えた位置に、載置面Ｂが形成されている（図７参照）。
【００１３】
さらに、この好ましくは、装置載置部１０に載置された手持型眼科装置１００の検査光学系（例えば、観察光学系１３０、測定光学系１４０）の光軸Ｌ１と、模型眼９０の光軸とが合致するように、検査光学系の光軸と直交する方向に関して模型眼９０を保持する保持部を備える。
【００１４】
なお、模型眼収納部２１は、模型眼９０を横置きするための構造２１ａを備えてもよいし、模型眼設置部２２は、模型眼９０を縦置きするための構造２２ａを備えてもよい。
【００１５】
＜第１実施例＞
以下、第１実施例の手持型眼科装置載置台１について説明する。手持型眼科装置載置台（以下、本載置台ともいう）１は、手持型眼科装置１００を載置するために用いられる（図１参照）。手持型眼科装置１００は、例えば、眼屈折力測定装置、眼底カメラが挙げられる。なお、図面において、本載置台１の設置面をＺＸ平面とし、ＺＸ平面に垂直な方向をＹ方向とする。
【００１６】
本実施例の本載置台１は、例えば、手持型眼科装置の載置、模型眼の載置等が行える。本載置台１は、例えば、眼科装置載置部１０、模型眼載置部２０等を主に備える（図２参照）。眼科装置載置部１０は、例えば、手持型眼科装置１００を載置する。模型眼載置部２０は、模型眼９０を載置する。
【００１７】
なお、模型眼９０は、例えば、手持型眼科装置１００の測定精度を確認するために用いられる。例えば、模型眼９０は、図３に示すように、円筒部材９１と光学素子９２によって構成される。模型眼９０は、予め定められた眼特性（例えば、球面度数、円柱度数、乱視軸角度）が得られるように設計されている。したがって、模型眼９０を測定し、測定結果と予め定められた眼特性を比べることによって、手持型眼科装置１００の測定精度を確認することができる。
【００１８】
＜眼科装置載置部＞
眼科装置載置部１０は、例えば、凸部１１、凹部１２を備える（図２、４参照）。凸部１１は、例えば、手持型眼科装置１００の筐体部１１０を載置する。凹部１２は、例えば、手持型眼科装置１００の持ち手部１２０を載置する。検者は、手持型眼科装置１００を本載置台１に載置する場合、筐体部１１０を凸部１１、持ち手部１２０を凹部１２に嵌める。これによって、手持型眼科装置１００は、本載置台１に安定した状態で保持される。なお、眼科装置載置部１０は、上記の形状に限らず、手持型眼科装置１００を安定した状態で保持できればよい。なお、凸部１１は、例えば、手持型眼科装置１００の充電を行うための充電用端子等が設けられてもよい。
【００１９】
＜模型眼載置部＞
模型眼載置部２０は、例えば、模型眼収納部（以下、収納部という）２１と模型眼設置部（以下、設置部という）２２を備える（図５参照）。収納部２１は、例えば、未使用時に模型眼９０を収納することができる。設置部２２は、例えば、模型眼９０を測定するための使用位置に模型眼９０を設置できる。
【００２０】
収納部２１は、例えば、図５（ａ）に示すように、模型眼９０を横置き（横向き）で収納できるようになっている。例えば、収納部２１は、模型眼９０を横置きで収納するための構造２１ａを備えてもよい。横置きで収納できることによって、例えば、模型眼９０に埃等が堆積することを抑制できる。なお、構造２１ａは、例えば、凹部、皿部、溝部等を有する構造であってもよい。
【００２１】
設置部２２は、例えば、図５（ｂ）に示すように、模型眼９０が縦置き（縦向き）で設置できるようになっている。例えば、設置部２１は、模型眼９０を縦置きで設置するための構造２２ａを備えてもよい。縦置きで設置できることによって、例えば、模型眼９０の測定が行い易い。なお、構造２２ａは、例えば、凹部、溝部、壁部等を有する構造であってもよい。
【００２２】
なお、収納部２１と設置部２２は、図５に示すように、併設される。これによって、検者は、模型眼９０を使用時と未使用時で移動させる手間が省ける。
【００２３】
＜その他の構成＞
なお、本載置台１は、印刷部２、充電部３、接続部４、制御部５等を備えてもよい（図１参照）。これによって、本載置台１は、測定結果の印刷、バッテリーの充電、測定結果の転送等を行ってもよい。手持型眼科装置１００との通信は、無線、赤外、有線接続が選択できてもよい。
【００２４】
＜手持型眼科装置＞
本載置台１に載置する手持型眼科装置１００としては、例えば、手持型の眼屈折力測定装置等が考えられる。手持型眼科装置１００は、例えば、図６に示すように、筐体部１１０と、持ち手部１２０と、観察光学系１３０と、測定光学系１４０と、演算制御部１５０と、表示部１６０と、操作部１７０等を主に備える。
【００２５】
筐体部１１０は、例えば、観察光学系１３０、測定光学系１４０、演算制御部１５０等を内部に収納する。筐体部１１０の被検者側には検査窓１１１が形成されてもよい。持ち手部１２０は、筐体部１１０に固定される。表示部１６０は、例えば、被検眼の観察画像、測定結果等を表示する。操作部１７０は、例えば、測定を開始するためのトリガ信号を出力する測定ボタン１７１、各種設定ボタン等を備える。
【００２６】
観察光学系１３０は、例えば、アライメント指標を投影する投影光学系と、前眼部照明光源に照明された前眼部像を撮像する撮像光学系等を備える。撮像光学系によって撮像された前眼部像およびアライメント指標像は、表示部１６０に表示される。
【００２７】
測定光学系１４０は、被検眼眼底に測定指標を投影する測定指標投影光学系と、眼底からの指標の反射光を受光素子によって受光する受光光学系とを主に備える。受光素子からの出力信号は、演算制御部１５０に入力され、眼屈折力が演算される。なお、この測定光学系１４０は、例えば、出願人による特開２０１２−１８３１２３に記載されたものが利用できるため、詳細はこれを参照されたい。
【００２８】
＜測定精度の確認方法＞
以下、模型眼９０を使用して手持型眼科装置１００の測定精度を確認する方法を説明する。検者は、載置台１に載置された手持型眼科装置１００を取り出す。そして、検者は、収納部２１に収納された模型眼９０を設置部２２に設置する。
【００２９】
本実施例においては、検者は、収納部２１に横に倒された状態で収納された模型眼９０を設置部２２に立てて設置する。
【００３０】
続いて、検者は、手持型眼科装置１００を用いて設置部２２に設置された模型眼９０を測定する。例えば、検者は、測定ボタン１７１を押して手持型眼科装置１００を測定可能状態にした後、模型眼９０に対して手持型眼科装置１００のアライメントを行う。アライメントが完了すると、手持型眼科装置１００は、自動的に模型眼９０の測定を行う。
【００３１】
検者は、模型眼９０の測定結果と、模型眼９０に記載された規定値と、を比較することによって、手持型眼科装置１００の精度確認を行う。
【００３２】
このように、模型眼９０の収納部２１と設置部２２が併設されることによって、模型眼９０を素早く収納部２１から設置部２２に移動できる。これによって、手持型眼科装置１００の精度確認がスムーズに行える。さらに、収納部２１と設置部２２が併設されることによって、模型眼９０をどこに設置または収納するかわからなくなることが低減される。
【００３３】
なお、第１実施例において、設置部２２は、装置載置部１０に載置された手持型眼科装置１００のアライメント位置に近い位置に設けられてもよい。これによって、手持眼科装置１００を装置載置部１０の位置から大きく移動させる必要がなくなり、検者の負担を減らすことができる。
【００３４】
＜第２実施例＞
次に、図７に基づいて第２実施例を説明する。第２実施例の手持型眼科装置載置台１は、模型眼９０を使用するときの設置部２２が、模型眼９０を収納するための収納部２１と同一位置に配置され、互いに兼用される。つまり、模型眼９０が収納部２１に収納された状態で、眼科装置１００によって模型眼９０を測定できる。従って、検者は、模型眼９０を収納部２１から設置部２２に移すことなく眼科装置１００の測定精度の確認を行うことができる。
【００３５】
さらに、第２実施例の収納部２１は、手持型眼科装置１００が装置載置部１０に載置された状態で、模型眼９０に対する眼科装置１００のアライメントが合う位置に設けられる。すなわち、収納部２１は、装置載置部１０に載置された手持型眼科装置１００に対して手持型眼科装置１００の作動距離Ｄだけ相対的に離れた位置に設けられる。
【００３６】
例えば、手持型眼科装置１００の作動距離Ｄが５０ｍｍに設定されているとする。つまり、筐体部１１０に形成された検査窓１１１の基準面Ｓに対して模型眼９０を５０ｍｍ離したときに適正な測定結果が得られるとする。この場合、収納部２１は、例えば、装置載置部１０に載置された手持型眼科装置１００の検査窓１１１に対して５０ｍｍ離れた位置に模型眼９０を設置するための構造２３を備えてもよい。例えば、手持型眼科装置１００の適正作動距離Ｄと模型眼９０の長手方向の距離とを加算した位置に、構造２３の載置面Ｂが形成されてもよい。なお、構造２３は、例えば、凹部、皿部、溝部等を有する構造であってもよい。
【００３７】
したがって、手持型眼科装置１００を眼科装置載置部１０に載置した状態で、収納部２１に収納された模型眼９０に対してアライメントが合った状態になる。これによって、検者は、模型眼９０にアライメントを合すためにわざわざ手持型眼科装置１００を移動させる必要がなくなる。すなわち、検者は、手持型眼科装置１００を眼科装置載置部１０に載置したまま測定ボタン１７１を押すことによって、スムーズに手持型眼科装置１００の精度確認を行うことができる。
【符号の説明】
【００３８】
１  手持型眼科装置載置台
１０  手持型眼科装置載置部
２０  模型眼載置部
２１  収納部
２２  設置部
９０  模型眼
１００  手持型眼科装置
【図１】
0006354985.tif 000002
【図２】
0006354985.tif 000003
【図３】
0006354985.tif 000004
【図４】
0006354985.tif 000005
【図５】
0006354985.tif 000006
【図６】
0006354985.tif 000007
【図７】
0006354985.tif 000008